(57)【要約】【目的】収納部にスライドフアスナーが使われ、該所部に雨蓋が備えられるリュックサックにおいて、  縫製や加工に従来品と同等程度以上の手間をかけず、製造コストを上げることなく要所部に雨蓋を付け、且つフアスナー開閉が楽で、その上、物の出し入れが容易なリュックサックを提供しようとするものである。【構成】本体に開口部を有し、該開口部は噛合するスライドファスナーで開閉するようにして成るリュックサックにおいて、  本体の表布開口縁裏側に小片当布を縫着し、該小片当布の他方の端縁外側にはスライドファスナーを、その内側には伸縮布を縫着するとともに、この伸縮布を本体の表布裏側或いは別体の布地に縫着したことを特徴とし、また、  本体の表布開口縁を裏側に折り曲げて縫着し、この折り曲げた表布の端縁外側にはスライドファスナーを縫着するとともに、その内側には伸縮布を縫着し、該伸縮布の他方の端部を表布裏側或いは別体の布地に縫着している。【選択図】  図５
2005137841.tif 000002
【特許請求の範囲】
【請求項１】
本体に開口部を有し、該開口部は噛合するスライトファスナーで開閉するようにしたリュックサックにおいて、
本体の表布開口縁３１裏側に小片当布３２を縫着し、該小片当布の他方の端縁外側にはスライドファスナー３３を、内側には伸縮布３４を縫着するとともに、
この伸縮布を本体の表布裏側或いは別体布地に縫着したことを特徴とするリュックサック。
【請求項２】
本体の表布開口縁３１を裏側に折り曲げて止着し、この折り曲げた表布の端縁外側にスライドファスナー３３を縫着するとともに、その内側には伸縮布３４を縫着し、該伸縮布の他方の端部を表布裏側或いは別体布地に縫着したことを特徴とするのリュックサック。
【発明の詳細な説明】
【発明の詳細な説明】
【技術分野】
【０００１】  本発明は登山やハイキングに使用されるリュックサック関するもので、特に開口部から雨の進入を防止する雨蓋付きながら、収納部への物品出し入の自由性を損なうことが無いリュックサックを提供しようとするものである。
【背景技術】
【０００２】  従来品の代表的な例としては図１に示したようなものが良く知られている。所謂、一般的なリュックサックは、本体１及び付帯収納部４，６の開口部にはフアスナー３，５，７が使用されていて、これらの開口部には雨蓋が備えられている所部と備えの無い所部と様々である。【０００３】  一方、本格的登山に用いられるリュックサックには、例えば図２に示したように本体及び付帯収納部にも雨蓋が備えられているのが多い。
フアスナーが使用されている開口所部には雨蓋が備えられている方が望ましいことは言を待たないが、雨蓋が邪魔をしてフアスナーの開閉がしづらく、本体収納部への物品の出し入れに難点があることなとの欠点が従来品にあった。
【発明が解決しようとする課題】
【０００４】  したがって本発明では、縫製や加工に従来品と同等程度以上は手間をかけずに済み、製造コストを上げることなく、要所部に雨蓋を備え付け、且つ、フアスナーの開閉や物品の出入れに支障の無いリュックサックを提供しようとするものである。
【課題を解決するための手段】
【０００５】  本発明のリュックサックはこれらの目的を達成するために、本体に開口部を有し、該開口部は噛合するスライドファスナーで開閉するようにしているリュックサックにおいて、
本体の表布開口縁裏側に小片当布を縫着し、該小片当布の他方の端縁外側にはスライドファスナーを、その内側には伸縮布を縫着するとともに、この伸縮布を本体の表布裏側或いは別体の布地に縫着したものである。
【０００６】  また、本体の表布開口縁を裏側に折り曲げて止着し、この折り曲げた表布の端縁外側にはスライドファスナーを縫着するとともに、その内側には伸縮布を縫着し、該伸縮布の他方の端部を表布裏側或いは別体の布地に縫着したものである。
【発明を実施するための最良の形態】
【０００７】  本発明リュックサックの実施の形態を、実施例に基づき図面を参照して説明する。本発明は図２に示したような比較的ハードな登山に使用されるリュックサックに適しているが、本体に開口部を有し、該開口部は噛合するスライドファスナーで開閉するようにして成るリュックサックであれば一般的なものにも適用される。【０００８】図５に示される実施例では、リュックサック本体表布３１の開口縁裏側に小片当布３２を縫着し、該小片当布の他方の端部外側にはスライトファスナー３３を縫着するとともに、その内側には、例えばゴム入り織布等の伸縮性を有する伸縮布３４を縫着し、この伸縮布の他端部を前記リュックサック本体の表布裏側に縫着している。【０００９】  図６に示される実施例では、リュックサック本体表布３１の縁を開口部で裏側に折り曲げ、この折り曲げ所部に小片当布３２を縫着し、該小片当布の他方の端縁外側にはスライドファスナー３３を縫着するとともに、その内側には例えばゴム入り織布等の伸縮性を有する伸縮布３４を縫着し、この伸縮布３４の他端部を前記リュックサック本体の表布３１裏側に縫着している。【００１０】  図７に示される実施例では、リュックサック本体表布３１の縁を開口部で折り曲げて縫着し、その端部外側にスライトファスナー３３を縫着し、さらに、内側には例えばゴム入り織布等の伸縮性を有する伸縮布３４を縫着するとともに、該布他端部をリュックサック本体の表布３１裏側に縫着している。【００１１】  図８に示される実施例では、本体表布３１の縁裏側に小片当布３２を縫着し、この片当布の他方の端縁にスライドファスナー３３とともに縫着された伸縮布３４の他端部は、本体の表布３１裏側に縫着される前記三つの実施例の外、図示された別体の生地３５に止着或いは縫着されたものを示している。【００１２】  図３は、従来品が最も多く採用している例を示していて、本体の表布２２の開口縁裏側に、小片当布２３を縫着し、この布の他方の端部外側にスライドファスナー２４を縫着するとともに、反対側には別体の生地２５を縫着したものである。【００１３】  図４は、図３同様に、従来品が多く採用している一例を示していて、本体の表布２２の開口縁を折り曲げて、該所部で、折り曲げ部並びにスライドファスナー２４及び別体の生地２５を縫着している。
【発明の効果】
【００１４】  本発明は、以上説明のように構成されているので、以下に記載の効果を奏するものである。
リュックサック本体表布縁の裏側に、即、スライドファスナーを縫着していないので、開閉の時、荷が一杯でも、他の布地を巻込むこと無くスムーズに開閉できる。
【００１５】  その上、リュックサック本体表布縁の裏側に小片当布を縫着し、この小片当布の他方端縁外側にスライドファスナーを縫着しているので、もう一方のスライドファスナーとの噛合止着は本体表布縁より内側で行なわれることとなり、本体表布が十分な雨蓋の役目を果たす。
【００１６】  さらに、リュックサック本体表布の開口縁裏側に縫着した小片当布の、他方の端縁外側にはスライドファスナーを縫着し、その内側には伸縮布を縫着しているので、スライドファスナーは常時、本体表布裏側方向に引張られているので、スライドファスナーの噛合止着所部は、常時、雨蓋の下に位置し防水性が高い。
また、開口したときも、一方は本体の方に常時引っ張られているので、物の出し入れが楽で使い勝手が良いなと数々の効果を奏する。
【図面の簡単な説明】
【図１】最も一般的なリュックサックを示す図である。
【図２】例として、本発明が多く実施されるであろうと思われるリュックサックのタイプを示す図である。
【図３】 
【図４】従来品のリュックサック開口所部に、多く採用されている説明図である。
【図５】 
【図６】 
【図７】 
【図８】各図とも本発明の実施例説明図である。
【符号の説明】
１１本体    １２収納部    １３開閉部    １４スライドファスナー    １５付帯収納部    １６開閉部    １７スライドファスナー
３１本体表布    ３２当布    ３３スライドファスナー    ３４伸縮布
３５裏地
【図１】
2005137841.tif 000003
【図２】
2005137841.tif 000004
【図３】
2005137841.tif 000005
【図４】
2005137841.tif 000006
【図５】
2005137841.tif 000007
【図６】
2005137841.tif 000008
【図７】
2005137841.tif 000009
【図８】
2005137841.tif 000010